(57)【要約】【課題】カラーホイール装置の搬送時のダメージを防止する。【解決手段】カラーフィルタを収納し、このフィルタを回転させることにより光源の放出光から光の３原色を形成するカラーホイール装置であって、カラーフィルタの回転を抑止するストッパーを有することを特徴とするカラーホイール装置。【選択図】    図１
2004341457.tif 000002
【特許請求の範囲】
【請求項１】
カラーフィルタを収納し、このフィルタを回転させることにより光源の放出光から光の３原色を形成するカラーホイール装置であって、カラーフィルタの回転を抑止するストッパーを有することを特徴とするカラーホイール装置。
【請求項２】
前記ストッパーは、ゴム材からなり、カラーフィルタの側面を押圧することでカラーフィルタの回転を抑止することを特徴とする請求項１項記載のカラーホイール装置。
【請求項３】
回転動作を行う場合、前記ストッパーをカラーフィルタから離間し、ストッパーがカラーフィルタに接触しないように固定する留め金を有することを特徴とする請求項１項記載のカラーホイール装置。
【発明の詳細な説明】
【０００１】
【発明の属する技術分野】本発明は、カラーホイール装置、特にプロジェクタに用いるカラーホイール装置に関するものである。
【０００２】
【従来の技術】特開２００２−１４６２０４号には従来のカラーホイール装置に用いられるディスク状のカラーフィルタが示されている。
このようなカラーフィルタは、中央にモータが接続されて、プロジェクタ装置に組み込まれる。
【０００３】このようなカラーホイール装置は、従来、モータの回転軸に保持・固定されているだけであり、動作中でなくても自由に回転できる構造になっている。
【０００４】
【発明が解決しようとする課題】モータに、カラーフィルタを取り付けた後、その場でプロジェクタ本体にカラーホイール装置を組み込む場合は、このような従来のカラーホイール装置でも、特に問題は発生しない。
しかしながら、カラーホイール装置の組立てと、このカラーホイール装置をプロジェクタ装置に組み込む場所が異なる場合、カラーホイール装置を搬送する過程で衝撃が加わるなどすることがある。
このとき、カラーホイール装置内でカラーフィルタが不用意に自由回転してカラーフィルタの回転軸に応力が加わり、この回転軸に設けられたベアリングが磨耗するなどして、カラーフィルタの組み付け精度が悪化し、プロジェクタの動作時にこの回転軸からノイズを発生することがあった。
【０００５】長距離を車両にて搬送する必要がある場合など、この搬送によってカラーホイール装置にダメージを与えることがあった。
【０００６】
【課題を解決するための手段】上記課題を解決するため、本発明は、請求項１に記載するように、カラーフィルタを収納し、このフィルタを回転させることにより光源の放出光から光の３原色を形成するカラーホイール装置であって、カラーホイールの回転を抑止するストッパーを有することを特徴としている。
【０００７】また、請求項２に記載するように、ストッパーは、ゴム材からなり、カラーフィルタの側面を押圧することでカラーホイールの回転を抑止することを特徴としている。
【０００８】
【発明の実施の形態】以下、図に沿って本発明の実施の形態を説明する。
図１は本発明の実施形態を示す斜視図、図２は実施形態を示す断面図である。
これらの図において、１は本体ケース、２はこのケース１内に収納されるカラーフィルタである。このカラーフィルタは白色光源からの入射光を赤、青、緑の光として出力するものであり、カラーコーティングされたガラス材と、このガラス材を保持する保持部とからなる。
尚、本実施例のカラーフィルタには、より明るい投影画像を形成するために、光源からの光をそのまま通過させる領域も形成されているが、３原色の領域だけにしてもよい。
３はカラーフィルタの回転位置センサ用の回路基板である。図示しない回転位置センサは、カラーフィルタからの光の３原色の内、どの色の光が照射されているかを検出するためのものであり、このセンサ信号によって、各色に対応した映像信号処理が行われる。
４はストッパーであり、本体ケース１の側面に設けられた開口から挿入され、カラーフィルタ２の側面に接触することで、自由な回転が抑制される。５は留め金であり、回転動作時にストッパー４が不用意に挿入され回転が抑制されることを防止する構成となっている。
留め金５は、ねじ６にて本体ケース１に固定される。
【０００９】本体ケース１のストッパー４の挿入開口形成部には平坦な面が形成されており、また、ストッパー４には径の大きな部位である抜け防止部４ａが形成されている。
この抜け防止部４ａが、前記本体ケースの平坦な面に支えられ、必要以上にストッパー４が挿入されることが防止さる。これにより、ストッパー４がカラーフィルタ２を押圧する力は一定値に保たれる。
【００１０】また、ストッパー４には凸部４ｂを有し、更に、留め金５のストッパー挿入口には、このストッパー突出部が通り抜ける切り欠き部５ｂを有している。
これらのストッパー４及び留め金５の詳細は、図５に斜視図として示している。
【００１１】図３に示すように、矢印で示す方向にストッパー４を押し込み、切り欠き部からストッパー４の突出部を通過させ、更にストッパー４を捻ることで、ストッパー４は、カラーフィルタ２の押圧状態が保持される。
また、図４に示すように、切り欠き部からストッパー４の突出部を通過させ、矢印で示す方向に引き戻し、更にストッパー４を捻ることでプロジェクタ装置の動作時に、ストッパー４が不用意に挿入され、カラーフィルタの回転動作が抑制されることが防止できる。
【００１２】尚、カラーホイール装置を組み立てた直後はストッパー４を押し込み、カラーフィルタ２を押圧した状態で、プロジェクタ本体を組み立てる場所へ搬送する。
プロジェクタ本体に、カラーホイール装置を組み込んだ後に、ストッパー４を引き戻し、自由に回転できる状態で製品を出荷する。
【００１３】本実施例では、ストッパーはゴム材にて構成され、かつカラーフィルタ２の側面を押圧するように構成しているため、押圧によって、カラーフィルタの光通過部にダメージを与えるということはない。
【００１４】尚、本発明は、上記の実施例に限定されるものではなく、ストッパー４の形状や、留め金５の形状も限定されない。
【００１５】本実施例は、手動でストッパーの出し入れを行うものであるが、プロジェクタ本体に組み込まれた状態で、メインスイッチをオンにした場合に、ストッパーの押圧が解除され、メインスイッチがオフの状態では押圧するようにアクチュエータを用いてストッパーによる動作を自動化してもよい。
【００１６】更に、ストッパーの位置をカラーフィルターの回転軸付近に設けて、カラーフィルターの保持部を押圧する構造でもよい。
【００１７】また、本実施例では、ストッパーは、カラーフィルタの回転軸に対して偏向させて挿入するように配置することで、より高密度にストッパーを配置するようにして、カラーホイール装置の小型化を実現しているが、中心軸に向かって挿入するように配置してもよい。
【００１８】尚、第２の実施例として、ストッパーは図６、及び図７に示すようなものでもよい。このストッパーは、先端部が４片の可動からなる第１の部材６０と、この第１の部材６０内に配置される第２の部材６１からなる。
第１の部材６０は、図示しない本体ケースの側壁に設けられた開口に、固定部６１が固定されて用いられる。
第２の部材６３の先端にはゴム材６４が設けられており、この第２の部材６３を挿入することにより、ゴム材６４がカラーフィルタの側面に接触し、カラーフィルタの自由な回転が抑制される。
尚、第２の部材６３を挿入したとき、第１の部材６０の可動部の先端が開き、第２の部材６３の先端の溝にはまって、第２の部材６３によるカラーフィルタの押圧は保持される。
また、第２の部材６３を引き戻した場合、可動部６２が閉じ、この可動部６２によって、第２の部材６３は保持され、不用意にカラーフィルタが押圧されることは防止される。
尚、この第２の保持部材を挿入した状態を図８に示し、引き戻した状態を図９に示す。
【００１９】
【発明の効果】本発明では、カラーフィルタの自由な回転を抑制するストッパーを用いることにより、搬送時などに生じる、回転軸に与えるダメージを低減することが可能となり、カラーフィルタの回転動作時に、回転軸付近から発生するノイズなどが低減される。
【図面の簡単な説明】
【図１】図１は、本発明の実施例の形態に係る主要な構成を示す斜視図である。
【図２】図２は、本発明の実施例の形態に係る断面図である。
【図３】図３は、本発明の実施例の形態に係る、押圧状態を示す側面図である。
【図４】図４は、本発明の実施例の形態に係る、引き戻した状態を示す側面図である。
【図５】図５は、ストッパーと留め金の詳細を示す斜視図である。
【図６】図６は、第２の実施例のストッパーの構成を示す側面図である。
【図７】図７は、第２の実施例のストッパーの第１の部材の正面図である。
【図８】図８は、第２の実施例のストッパーにおいて、第２の部材を挿入した状態を示す図である。
【図９】図９は、第２の実施例のストッパーにおいて、第２の部材を引き戻した状態を示す図である。
【符号の説明】
１：本体ケース
２：カラーフィルタ
４：ストッパー
５：留め金
【図１】
2004341457.tif 000003
【図２】
2004341457.tif 000004
【図３】
2004341457.tif 000005
【図４】
2004341457.tif 000006
【図５】
2004341457.tif 000007
【図６】
2004341457.tif 000008
【図７】
2004341457.tif 000009
【図８】
2004341457.tif 000010
【図９】
2004341457.tif 000011